(57)【要約】【課題】防火性能を向上することができるドア及び建具を提供する。【解決手段】ドア１２は、戸先側の縦骨材１６ｄの枠外側見込み面３２に取り付けられ、枠外側見込み面３２を覆うエッジ材３４を備える。エッジ材３４は、戸先側の縦骨材１６ｄの枠外側見込み面３２を覆う基板部４４と、基板部４４の室外側端部４４ａから外表面材１８の室外側表面１８ｂに沿って突出し、室外側表面１８ｂに重ねて配置される見付け板部４６と、基板部４４の室外側端部４４ａから室外側に突出した見込み板部４８と、見込み板部４８から枠内側に突出し、見付け板部４６を覆うカバー板部５０と、を有する。【選択図】図３
2020029684.tif 000002
【特許請求の範囲】
【請求項１】
少なくとも戸先側に縦骨材を備えて構成されたドアであって、
前記戸先側の縦骨材の室外側に配置される外表面材と、前記戸先側の縦骨材の室内側に配置される内表面材と、前記戸先側の縦骨材と前記外表面材と前記内表面材とで囲まれた部分に設けられた断熱材と、を備え、
前記戸先側の縦骨材の枠外側見込み面に取り付けられ、該枠外側見込み面を覆うエッジ材を備え、
前記エッジ材は、前記戸先側の縦骨材の枠外側見込み面を覆う基板部と、
前記基板部の室外側端部から前記外表面材の室外側表面に沿って突出し、該室外側表面に重ねて配置される見付け板部と、
前記基板部の室外側端部から室外側に突出した見込み板部と、
前記見込み板部から枠内側に突出し、前記見付け板部を覆うカバー板部と、を有することを特徴とするドア。
【請求項２】
請求項１に記載のドアであって、
前記エッジ材は、前記カバー板部と前記見込み板部と前記見付け板部とで囲まれた部分に中空部を有することを特徴とするドア。
【請求項３】
請求項２に記載のドアであって、
前記カバー板部は、前記見込み板部から前記外表面材の室外側表面に沿って突出し、前記見付け板部に対して前記中空部を挟んで対向した第１板部と、前記第１板部から室内側に屈曲し、前記見込み板部に対して前記中空部を挟んで対向した第２板部と、を有することを特徴とするドア。
【請求項４】
請求項１〜３のいずれか１項に記載のドアであって、
前記見込み板部の枠外側見込み面に、加熱されると膨張する熱膨張性部材を設けたことを特徴とするドア。
【請求項５】
請求項４に記載のドアであって、
前記エッジ材は、枠外側を向いて開口し、気密材が挿入されるポケット部を有し、
前記見込み板部の枠外側見込み面が、前記ポケット部の底面を形成していることを特徴とするドア。
【請求項６】
請求項１〜５のいずれか１項に記載のドアであって、
前記エッジ材は、前記見込み板部の枠外側に設けられ、前記基板部及び前記見込み板部よりも枠外側に突出した煙返し片を有することを特徴とするドア。
【請求項７】
少なくとも戸先側に縦骨材を備えて構成されたドアであって、
前記戸先側の縦骨材の室外側に配置される外表面材と、前記戸先側の縦骨材の室内側に配置される内表面材と、前記戸先側の縦骨材と前記外表面材と前記内表面材とで囲まれた部分に設けられた断熱材と、を備え、
前記戸先側の縦骨材の枠外側見込み面に取り付けられ、該枠外側見込み面を覆うエッジ材を備え、
前記エッジ材は、前記外表面材の室外側表面に重なる位置に配置される中空部を有することを特徴とするドア。
【請求項８】
請求項７に記載のドアであって、
前記エッジ材は、前記中空部の枠外側壁部を形成する板部の枠外側見込み面に、加熱されると膨張する熱膨張性部材を設けたことを特徴とするドア。
【請求項９】
請求項１〜８のいずれか１項に記載のドアと、該ドアを開閉可能に支持するドア枠と、を備えることを特徴とする建具。
【発明の詳細な説明】
【技術分野】
【０００１】
本発明は、ドア及び建具に関する。
【背景技術】
【０００２】
例えば玄関ドアのように建物の開口部を仕切るドアでは、室内外一対の表面材の間に枠状の骨組体を配設した構成がある。この種のドアでは、一対の表面材と骨組体とで囲まれた内部空間に断熱材を収容することで高い断熱性能を確保したものがある（例えば特許文献１参照）。
【０００３】
上記特許文献１には、いわゆる親子ドアの突合せ部において、ドアの見込み面を覆うエッジ材を備えた構成が開示されている。ここで、親ドアのエッジ材は、室外側の表面材の表面に沿って突出したヒレ部を有し、このヒレ部で表面材の縁部を保持している。
【先行技術文献】
【特許文献】
【０００４】
【特許文献１】特開２０１５−６７９７５号公報
【発明の概要】
【発明が解決しようとする課題】
【０００５】
上記特許文献１の構成では、例えば室外側での火災時にアルミニウム製のヒレ部が早期に溶融或いは焼失し、室外側の表面材とエッジ材との間に隙間が形成される可能性がある。そうすると、この隙間によってドアの内部空間が室外と連通し、例えば発泡スチロール製の断熱材から発生した可燃性ガスが室外へと流出する懸念がある。なお、このような問題は、親子ドアの突合せ部だけでなく、１枚ドアの戸先側部分等でも同様に起こり得る。
【０００６】
本発明は、上記従来技術の課題を考慮してなされたものであり、防火性能を向上することができるドア及び建具を提供することを目的とする。
【課題を解決するための手段】
【０００７】
本発明に係るドアは、少なくとも戸先側に縦骨材を備えて構成されたドアであって、前記戸先側の縦骨材の室外側に配置される外表面材と、前記戸先側の縦骨材の室内側に配置される内表面材と、前記戸先側の縦骨材と前記外表面材と前記内表面材とで囲まれた部分に設けられた断熱材と、を備え、前記戸先側の縦骨材の枠外側見込み面に取り付けられ、該枠外側見込み面を覆うエッジ材を備え、前記エッジ材は、前記戸先側の縦骨材の枠外側見込み面を覆う基板部と、前記基板部の室外側端部から前記外表面材の室外側表面に沿って突出し、該室外側表面に重ねて配置される見付け板部と、前記基板部の室外側端部から室外側に突出した見込み板部と、前記見込み板部から枠内側に突出し、前記見付け板部を覆うカバー板部と、を有することを特徴とする。
【０００８】
また、本発明に係るドアは、上骨材、下骨材及び一対の縦骨材を枠状に構成した骨組体と、前記骨組体の室外側に配置される外表面材と、前記骨組体の室内側に配置される内表面材と、を備え、前記骨組体と前記外表面材と前記内表面材とで囲まれた部分に断熱材を設けたドアであって、戸先側の縦骨材の枠外側見込み面に取り付けられ、該枠外側見込み面を覆うエッジ材を備え、前記エッジ材は、前記外表面材の室外側表面に重なる位置に配置される中空部を有することを特徴とする。
【発明の効果】
【０００９】
本発明によれば、防火性能を向上することができる。
【図面の簡単な説明】
【００１０】
【図１】本発明の一実施形態に係るドアを備えた建具を室外側から見た姿図である。
【図２】図１に示す建具の縦断面図である。
【図３】図１に示す建具の横断面図である。
【図４】図３に示す建具の要部拡大横断面図である。
【図５】変形例に係るエッジ材を備える建具の要部拡大横断面図である。
【図６】別の変形例に係るエッジ材を備える建具の要部拡大横断面図である。
【発明を実施するための形態】
【００１１】
以下、本発明に係るドアについて、このドアを用いた建具との関係で好適な実施の形態を挙げ、添付の図面を参照しながら詳細に説明する。
【００１２】
図１〜図３に示すように、本実施形態に係る建具１０は、ドア１２と、ドア枠１４とを備える。ドア１２は、例えば建物の内外を仕切る外壁の開口部に取り付けされたドア枠１４に対して開閉可能に支持される玄関ドアである。本発明は、玄関ドア以外のドアに適用しても勿論よい。
【００１３】
ドア１２は、枠状の骨組体１６の室外側及び室内側に外表面材１８及び内表面材１９を設け、内部に断熱材２０を設けた構造である。
【００１４】
骨組体１６は、上骨材１６ａと、下骨材１６ｂと、左右一対の縦骨材１６ｃ，１６ｄとを四周枠組みすることで矩形枠状に構成されている。骨組体１６は、吊元側の縦骨材１６ｃが、例えば上下３個のヒンジ２２を用いてドア枠１４に連結され、これによりドア１２がドア枠１４に対して回動可能に支持される。
【００１５】
本出願において、見込み方向とは建具１０の室内外方向、つまり室内側から室外側に向かう方向又はその逆方向（図中に矢印Ｙで示す方向）をいい、見込み面とは見込み方向に沿って延在する面をいう。見付け方向とは見込み方向に直交する方向であり、上下方向に長尺な縦骨材１６ｃ等の場合はその長手方向に直交する左右方向（図中に矢印Ｘで示す方向）をいい、左右方向に長尺な上骨材１６ａ等の場合はその長手方向に直交する上下方向（図中に矢印Ｚで示す方向）をいう。見付け面とは見付け方向に沿った面をいう。枠状部材の内側（内周）とは、例えばドア枠１４や骨組体１６の枠内部分をいう。枠状部材の外側（外周）とは、例えばドア枠１４に対向配置される骨組体１６の枠外部分をいう。また、枠状部材の枠外側から枠内側に向かう方向を枠内方向といい、枠状部材の枠内側から枠外側に向かう方向を枠外方向という。
【００１６】
図２に示すように、上骨材１６ａ及び下骨材１６ｂは、塩化ビニル樹脂（ＰＶＣ）等の樹脂を断面略コ字状に成形した押出形材である。骨材１６ａ，１６ｂが樹脂製のため、これらが外表面材１８と内表面材１９との間の熱橋となることが防止されている。図３に示すように、吊元側の縦骨材１６ｃは、金属骨材２４と、樹脂骨材２５とで構成されている。金属骨材２４は、アルミニウムやスチール等の金属材料の成形材であり、断面略コ字状を成している。樹脂骨材２５は、例えば骨材１６ａ，１６ｂと同一材料且つ同一形状である。樹脂骨材２５は、金属骨材２４の外面（枠外側見込み面及び室内外側見付け面）に被せて取り付けられている。金属骨材２４の枠内側見込み面には、ヒンジ２２の取付用の裏板となる取付金具２６が設けられている。樹脂骨材２５は、金属骨材２４が外表面材１８と内表面材１９との間の熱橋となることを防止している。
【００１７】
図３に示すように、戸先側の縦骨材１６ｄは、金属骨材２８と、室内外一対の樹脂骨材３０，３１とで構成されている。金属骨材２８は、例えば縦骨材１６ｃの金属骨材２４と同一材料且つ同一形状である。樹脂骨材３０，３１は、塩化ビニル樹脂（ＰＶＣ）等の樹脂を断面略コ字状に成形した押出形材であり、それぞれ一巻きの渦巻き形状を成している。樹脂骨材３０は、金属骨材２８の室外側の見付け板部２８ａを包み込むように、この見付け板部２８ａに外挿されて取り付けられている。樹脂骨材３１は、金属骨材２８の室内側の見付け板部２８ｂを包み込むように、この見付け板部２８ｂに外挿されて取り付けられている。樹脂骨材３０，３１は、それぞれ金属骨材２８の見込み方向で端部のみに設けられている。このため、金属骨材２８は、その枠外側見込み面３２の大分部が樹脂骨材３０，３１によって覆われずに露出しており、この露出部分がエッジ材３４によって覆われている。樹脂骨材３０，３１は、金属骨材２８が外表面材１８と内表面材１９との間の熱橋となることを防止している。
【００１８】
外表面材１８及び内表面材１９は、薄い鋼板で構成されている。各表面材１８，１９のそれぞれの縁部には、直角方向に屈曲した折曲片部１８ａ，１９ａが形成されている。折曲片部１８ａ，１９ａは、互いに近接する方向に屈曲形成されることで各骨材１６ａ〜１６ｄの枠外側見込み面に対向配置されている。上骨材１６ａ、下骨材１６ｂ及び吊元側の縦骨材１６ｃでは、各折曲片部１８ａ，１９ａの先端がそれぞれの枠外側見込み面の見込み方向中央部で僅かな隙間を介して対向している。戸先側の縦骨材１６ｄに対応する折曲片部１８ａ，１９ａは、その見込み方向の幅寸法が他の骨材１６ａに対向配置される折曲片部１８ａ，１９ａよりも小さい。縦骨材１６ｄでは、折曲片部１８ａ，１９ａがそれぞれ樹脂骨材３０，３１に重なる部分のみに配置されている。このため、戸先側の縦骨材１６ｄでは、各折曲片部１８ａ，１９ａの先端間に上骨材１６ａ等の場合よりも大きな隙間が形成されている。
【００１９】
断熱材２０は、骨組体１６と外表面材１８と内表面材１９とで囲まれた部分、つまりドア１２の内部空間に配設されている。断熱材２０は、例えば発泡スチロールや発泡ウレタンであり、各表面材１８，１９の内面及び各骨材１６ａ〜１６ｄの室内外見付け面に接着されている。
【００２０】
ドア枠１４は、上枠１４ａと、下枠１４ｂと、左右一対の縦枠１４ｃ，１４ｄとを四周枠組みすることで矩形枠状に構成されている。各枠１４ａ〜１４ｄは、例えばアルミニウム等の金属材料の押出形材である。各枠１４ａ，１４ｃ，１４ｄは、室外側部位と室内側部位との間を断熱材３５を介して連結した断熱構造（形材断熱構造）を有する。吊元側の縦枠１４ｃの枠内側見込み面には、ヒンジ２２を介してドア１２が連結されている（図３参照）。上枠１４ａとドア１２の上部との間は、ドアクローザ３６で連結されている（図２参照）。
【００２１】
各枠１４ａ〜１４ｄの枠内側見込み面には、枠内側に突出した戸当たり片３８が設けられている。各戸当たり片３８は、室外側を向いて開口した枠ポケット部３８ａを有し、この枠ポケット部３８ａには気密材４０が装着されている。さらに、各枠１４ａ〜１４ｄの枠ポケット部３８ａには、熱膨張性部材４２が設けられている。熱膨張性部材４２は、枠ポケット部３８ａの底面（室外側見付け面）に貼り付けられている。熱膨張性部材４２は、枠ポケット部３８ａの長手方向全長に亘って延在しており、加熱された場合に膨張する黒鉛等によって形成された加熱発泡材である。
【００２２】
次に、エッジ材３４の具体的な構成を説明する。図３に示すように、エッジ材３４は、ドア１２の戸先側の枠外側見込み面を覆う部材であり、例えばアルミニウム等の金属材料の押出形材である。図４に示すように、エッジ材３４は、基板部４４と、見付け板部４６と、見込み板部４８と、カバー板部５０と、中空部５２と、煙返し片５４と、第１ポケット部（ポケット部）５６と、第２ポケット部５８とを有する。エッジ材３４は、長手方向の複数箇所がねじで金属骨材２８に締結されている。
【００２３】
基板部４４は、枠内外方向の段部を有し、ドア１２の枠外側見込み面を覆っている。つまり基板部４４は、金属骨材２８の枠外側見込み面３２及び樹脂骨材３０，３１の枠外側見込み面６０を各表面材１８，１９の折曲片部１８ａ，１９ａと共に覆っている。樹脂骨材３０，３１の枠外側見込み面６０には、それぞれ折曲片部１８ａ，１９ａが配置されている。基板部４４は、折曲片部１８ａ，１９ａを覆うと同時に押さえ付け、これら折曲片部１８ａ，１９ａの面外方向への口開きを規制している。基板部４４の枠外側見込み面には、錠装置６２のラッチ６２ａが設けられている。錠装置６２は、そのケース６２ｂが基板部４４及び金属骨材２８を貫通してドア１２の内部に挿入されている。ラッチ６２ａは、縦枠１４ｄに埋設されたラッチ受け６４に係止されることで、ドア１２を図２及び図３に示す閉じ位置に規制する。ラッチ６２ａは、ドア１２に設けられたハンドル６５（図１参照）を操作することによりドア１２内に埋没し、ドア１２を開くことが可能となる。図１では室外側のハンドル６５を図示しているが、ドア１２の室内側にも同様なハンドルが設けられている。図４中の参照符号６４ａは、ドア１２を閉じ動作した際、ラッチ６２ａを押圧して退行させてラッチ受け６４へと導入する受け板である。
【００２４】
見付け板部４６は、基板部４４の室外側端部４４ａから外表面材１８の室外側表面１８ｂに沿って枠内方向に突出し、室外側表面１８ｂに重ねて配置される。これら室外側端部４４ａ及び見付け板部４６は、外表面材１８の折曲片部１８ａの屈曲部を押さえ付けることで、折曲片部１８ａの口開きを強固に規制している。見付け板部４６は、中空部５２の室内側壁部を形成している。
【００２５】
見込み板部４８は、基板部４４の室外側端部４４ａ、換言すれば見付け板部４６の枠外側端部から室外側へと突出しており、見付け板部４６と直交している。見込み板部４８は、中空部５２の枠外側壁部を形成している。
【００２６】
カバー板部５０は、略Ｌ字形状を成している。カバー板部５０は、見込み板部４８の室外側端部から枠内方向に突出した第１板部５０ａと、第１板部５０ａの枠内側端部から屈曲して室内側に突出した第２板部５０ｂとを有する。第１板部５０ａは、外表面材１８の室外側表面１８ｂに沿って延在しており、見付け板部４６に対して中空部５２を挟んで対向している。第１板部５０ａは、見込み板部４８の室外側端部よりも多少室内側にオフセットした位置に設けられてもよい。第２板部５０ｂは、見込み板部４８に対して中空部５２を挟んで対向している。図４に示す構成例では、カバー板部５０は、第２板部５０ｂが見付け板部４６と繋がっている。つまり見付け板部４６、見込み板部４８及びカバー板部５０で囲まれた略矩形状の空間が、中空部５２を形成している。中空部５２は、エッジ材３４の長手方向に沿って延在している。
【００２７】
煙返し片５４は、見込み板部４８の室外側端部から枠外方向に突出し、基板部４４及び見込み板部４８よりも枠外側に延びた突出片である。煙返し片５４は、ドア１２を閉じた状態で縦枠１４ｄの枠内側見込み面６６よりも枠外側に延在し、縦枠１４ｄの室外側見付け面６８の一部を室外側から覆う。
【００２８】
第１ポケット部５６は、枠外方向を向いて開口しており、気密材７０の基端部が挿入されて装着される略矩形状の穴である。第１ポケット部５６は、煙返し片５４の根元部分に形成されている。第１ポケット部５６は、その底面が見込み板部４８の枠外側見込み面７２及び基板部４４の枠外側見込み面で形成されている。第１ポケット部５６は、その室外側面が煙返し片５４の室内側見付け面で形成され、その室内側面が基板部４４によって形成されている。第１ポケット部５６内には、熱膨張性部材７４が設けられている。熱膨張性部材７４は、第１ポケット部５６の底面、つまり見込み板部４８の枠外側見込み面７２等に貼り付けられている。熱膨張性部材７４は、エッジ材３４の長手方向に亘って延在しており、加熱された場合に膨張する黒鉛等によって形成された加熱発泡材である。第１ポケット部５６の開口部は、縦枠１４ｄの枠内側見込み面６６と対向した位置であって、室内外方向位置が縦枠１４ｄの室外側見付け面６８と重なる位置に設けられている。つまり熱膨張性部材７４は、枠内側見込み面６６と対向し、室外側見付け面６８に重なる位置を向いて設けられている。
【００２９】
第２ポケット部５８は、基板部４４の室内側端部に形成されており、枠内側を向いて開口した略円形状の穴である。第２ポケット部５８の開口部は、内表面材１９の折曲片部１９ａと対向している。第２ポケット部５８には、断熱部材７６が装着される。断熱部材７６は、例えば塩化ビニル樹脂（ＰＶＣ）等の樹脂を断面略Ｔ字形状に成形した押出形材であり、エッジ材３４の長手方向に亘って延在している。断熱部材７６は、球形状の基端部７６ａが第２ポケット部５８に挿入され、板状の先端部７６ｂが折曲片部１９ａに当接する。図４に示すように、第２ポケット部５８は、断熱部材７６の基端部７６ａを嵌合可能な形状であるため、断熱部材７６の追加加工なしでの装着ができると共に装着作業自体が容易であり、また断熱部材７６を確実に抜け止めできる。断熱部材７６は、金属製のエッジ材３４が金属製の内表面材１９に当接し、エッジ材３４が室内外方向の熱橋となることを防止している。
【００３０】
以上のように構成されたドア１２及び建具１０は、例えば火災時に室外側から火炎や熱を受けた際、ドア１２の戸先側部分では、最も室外側に設けられたエッジ材３４が早期に温度上昇する。エッジ材３４は、例えばアルミニウム製のため、加熱温度や加熱時間によっては溶融或いは焼失する懸念がある。この点、本実施形態のエッジ材３４は、外表面材１８の室外側表面１８ｂに重なる見付け板部４６を室外側から覆う位置にカバー板部５０を備える。つまりカバー板部５０が見付け板部４６や見込み板部４８の防火壁となってその溶融や焼失を抑制する。このため、見付け板部４６や見込み板部４８が火災時にも長時間残留するため、外表面材１８とエッジ材３４との間に隙間が形成されることを防止できる。その結果、ドア１２の内部の断熱材２０から発生した可燃性ガスは、金属骨材２８と外表面材１８の内面との間を通過したとしても、外表面材１８とエッジ材３４との間は通過しない。これにより、ドア１２は、可燃性ガスが外部に流出することを防止でき、防火性能が向上する。しかもドア１２は、カバー板部５０の防火効果によって煙返し片５４の残留時間も延長できる。このため、早期に煙返し片５４が焼失し、ドア１２とドア枠１４との間に室内外を貫通する隙間が形成されることを抑制できる。エッジ材３４は、カバー板部５０を設けたことでその剛性が向上しているため、ドア１２の熱反り変形の抑制効果も得られ、ドア１２とドア枠１４との間の隙間の拡大を一層確実に防止できる。
【００３１】
本実施形態のエッジ材３４は、カバー板部５０と見付け板部４６と見込み板部４８とで形成された中空部５２を外表面材１８の室外側表面１８ｂに重なる位置に有する。これにより、中空部５２が室外側からの火炎や熱に対して一層強固な防火壁として機能して見付け板部４６や見込み板部４８を保護するため、一層高い防火性能が得られる。また、カバー板部５０は、第１板部５０ａと第２板部５０ｂとで中空部５２を形成する壁部を形成している。このため、中空部５２が略矩形状に形成され、防火性能と外観品質とが一層向上する。
【００３２】
しかもドア１２では、火災時に第１ポケット部５６内に設けた熱膨張性部材７４が枠外側に向かって膨張する。なお、気密材７０は、熱膨張性部材７４の膨張温度以下の耐熱温度を有する材質で形成しておくことにより、熱膨張性部材７４が膨張する際には焼失していて膨張の邪魔となることがない。熱膨張性部材７４が膨張することにより、ドア１２とドア枠１４との間の隙間が閉塞されるため、この部分に室内外を貫通する隙間が形成されることをより確実に防止できる。特に、本実施形態では、カバー板部５０（中空部５２）で火炎や熱から保護された見込み板部４８の裏面に熱膨張性部材７４を設けている。従って、熱膨張性部材７４が見込み板部４８と共に脱落するような事態の発生を防止でき、熱膨張性部材７４の確実な膨張が可能となる。また熱膨張性部材７４は第１ポケット部５６内に配設されている。このため、熱膨張性部材７４は、接着剤や両面テープ等が一部剥離した際にも脱落が防止されると共に、通常時にドア１２の外観上に露出しないため、ドア１２の外観品質を損なうこともない。なお、建具１０では、煙返し片５４とドア１２を挟んで対向するように設けられた縦枠１４ｄの戸当たり片３８に設けた熱膨張性部材４２も熱膨張性部材７４から遅れて膨張し、ドア１２とドア枠１４との間の隙間を塞ぐ。このため、より長時間に亘って高い防火性能を維持できる。
【００３３】
一方、ドア１２の吊元側部分では、図３に示すように、各表面材１８，１９の折曲片部１８ａ，１９ａがそれぞれリベット８０を用いて金属骨材２４と締結されている。さらに、これら折曲片部１８ａ，１９ａは、それぞれヒンジ２２の固定用のねじ８２を用いて取付金具２６とも締結されている。このため、戸先側のような表面材１８，１９の口開きによる可燃性ガスの流出は構造的に抑えられている。なお、ドア１２が図１に示すように縦長形状であるため、火災時の表面材１８，１９の反り変形によってドア１２の上端部及び下端部で表面材１８，１９が口開きをする可能性は低い。また、ドア枠１４は、縦枠１４ｄ以外の各枠１４ａ〜１４ｃの戸当たり片３８にも熱膨張性部材４２を設けているため、ドア１２の外周四周とドア枠１４との間の隙間が確実に塞がれ、高い防火性能が得られる。
【００３４】
ところで、上記構成例では、カバー板部５０は、第２板部５０ｂが見付け板部４６に繋がれることで中空部５２を形成した構成を例示したが、図５に示すように、第２板部５０ｂは見付け板部４６から離間した構成であってもよい。この場合にも、カバー板部５０による防火壁効果が得られる。
【００３５】
図６に示すように、カバー板部５０は、Ｌ字形状ではなく、平板形状に構成されてもよい。この場合、カバー板部５０は、見込み板部４８の室外側端部から見付け板部４６の枠内側端部までを直線状に繋いでおり、中空部５２は略三角形状となる。この場合にも、カバー板部５０及び中空部５２による防火壁効果が得られる。カバー板部５０や中空部５２の構成は、図４〜図６に示す構成以外であってもよい。
【００３６】
以上のように、本発明に係るドアは、少なくとも戸先側に縦骨材を備えて構成されたドアであって、前記戸先側の縦骨材の室外側に配置される外表面材と、前記戸先側の縦骨材の室内側に配置される内表面材と、前記戸先側の縦骨材と前記外表面材と前記内表面材とで囲まれた部分に設けられた断熱材と、を備え、前記戸先側の縦骨材の枠外側見込み面に取り付けられ、該枠外側見込み面を覆うエッジ材を備え、前記エッジ材は、前記戸先側の縦骨材の枠外側見込み面を覆う基板部と、前記基板部の室外側端部から前記外表面材の室外側表面に沿って突出し、該室外側表面に重ねて配置される見付け板部と、前記基板部の室外側端部から室外側に突出した見込み板部と、前記見込み板部から枠内側に突出し、前記見付け板部を覆うカバー板部と、を有することを特徴とする。このような構成によれば、ドアの戸先側部分に設けたエッジ材が、外表面材の室外側表面に重なる位置に見付け板部とカバー板部とを備える。このため、ドアが、例えば火災時に室外側から火炎や熱を受けた際、カバー板部が見付け板部や見込み板部の防火壁となってその溶融や焼失を抑制する。その結果、見付け板部や見込み板部が火災時にも長時間残留するため、外表面材とエッジ材との間に隙間が形成されることを防止し、ドアの内部の断熱材から発生した可燃性ガスが外部に流出することを防止できるため、防火性能が向上する。
【００３７】
本発明に係るドアにおいて、前記エッジ材は、前記カバー板部と前記見込み板部と前記見付け板部とで囲まれた部分に中空部を有する構成としてもよい。そうすると、中空部が室外側からの火炎や熱に対して一層強固な防火壁として機能するため、一層高い防火性能が得られる。
【００３８】
本発明に係るドアにおいて、前記カバー板部は、前記見込み板部から前記外表面材の室外側表面に沿って突出し、前記見付け板部に対して前記中空部を挟んで対向した第１板部と、前記第１板部から室内側に屈曲し、前記見込み板部に対して前記中空部を挟んで対向した第２板部と、を有する構成としてもよい。そうすると、カバー板部が第１板部と第２板部とを有することで中空部が略矩形状に形成され、防火性能と外観品質とが一層向上する。
【００３９】
本発明に係るドアにおいて、前記見込み板部の枠外側見込み面に、加熱されると膨張する熱膨張性部材を設けた構成としてもよい。そうすると、火災時にはこの熱膨張性部材が枠外側に向かって膨張するため、ドアとドア枠との間の隙間を閉塞し、この部分が火炎や煙の貫通孔となることを防止できる。
【００４０】
本発明に係るドアにおいて、前記エッジ材は、枠外側を向いて開口し、気密材が挿入されるポケット部を有し、前記見込み板部の枠外側見込み面が、前記ポケット部の底面を形成している構成としてもよい。そうすると、通常時には熱膨張性部材を気密材のポケット部内に隠しておいて外観品質を高めることができる。しかも火災時には、気密材が焼失した後、ポケット部内に設けた熱膨張性部材が枠外側に向かって膨張し、ドアとドア枠との間の隙間を確実に閉塞することができる。
【００４１】
本発明に係るドアにおいて、前記エッジ材は、前記見込み板部の枠外側に設けられ、前記基板部及び前記見込み板部よりも枠外側に突出した煙返し片を有する構成としてもよい。そうすると、カバー板部の防火効果によって火災時の煙返し片の残留時間が延びるため、ドアとドア枠との間に室内外を貫通する隙間が形成されることを一層確実に防止できる。
【００４２】
また、本発明に係るドアは、少なくとも戸先側に縦骨材を備えて構成されたドアであって、前記戸先側の縦骨材の室外側に配置される外表面材と、前記戸先側の縦骨材の室内側に配置される内表面材と、前記戸先側の縦骨材と前記外表面材と前記内表面材とで囲まれた部分に設けられた断熱材と、を備え、前記戸先側の縦骨材の枠外側見込み面に取り付けられ、該枠外側見込み面を覆うエッジ材を備え、前記エッジ材は、前記外表面材の室外側表面に重なる位置に配置される中空部を有することを特徴とする。このような構成によれば、ドアの戸先側部分に設けたエッジ材が外表面材の室外側表面に重なる位置に中空部を備える。このため、ドアが、例えば火災時に室外側から火炎や熱を受けた際、中空部が防火壁となり、中空部を形成する各板部のうち、特に外表面材に重なる室内側部分での溶融や焼失が抑制される。その結果、外表面材とエッジ材との間に隙間が形成されることを防止でき、ドアの内部の断熱材から発生した可燃性ガスが外部に流出することを防止でき、防火性能が向上する。
【００４３】
本発明に係るドアにおいて、前記エッジ材は、前記中空部の枠外側壁部を形成する板部の枠外側見込み面に、加熱されると膨張する熱膨張性部材を設けた構成としてもよい。そうすると、火災時にはこの熱膨張性部材が枠外側に向かって膨張するため、ドアとドア枠との間の隙間を閉塞し、この部分が火炎や煙の貫通孔となることを防止できる。
【００４４】
また、本発明に係る建具は、上記構成のドアと、該ドアを開閉可能に支持するドア枠と、を備えることを特徴とする。従って、当該建具は、高い防火性能を確保できる。
【００４５】
なお、本発明は、上記した実施形態に限定されるものではなく、本発明の主旨を逸脱しない範囲で自由に変更できることは勿論である。
【００４６】
例えば本発明に係るドアは、２枚のドア同士を突合わせて開閉可能に構成した親子ドア等であってもよく、この場合は、親ドア又は子ドアの戸先側に上記構成のエッジ材を設ければよい。
【符号の説明】
【００４７】
１０  建具、１２  ドア、１４  ドア枠、１６  骨組体、１６ａ  上骨材、１６ｂ  下骨材、１６ｃ，１６ｄ  縦骨材、１８  外表面材、１８ｂ  室外側表面、１９  内表面材、２０，３５  断熱材、２８ａ，２８ｂ，４６  見付け板部、３２，６０，７２  枠外側見込み面、３４  エッジ材、４０，７０  気密材、４２，７４  熱膨張性部材、４４  基板部、４４ａ  室外側端部、４８  見込み板部、５０  カバー板部、５０ａ  第１板部、５０ｂ  第２板部、５２  中空部、５４  煙返し片、５６  第１ポケット部
【図１】
2020029684.tif 000003
【図２】
2020029684.tif 000004
【図３】
2020029684.tif 000005
【図４】
2020029684.tif 000006
【図５】
2020029684.tif 000007
【図６】
2020029684.tif 000008